(57)【要約】    【課題】  全系が小型でありながら、高いズーム比を有し、全ズーム範囲にわたり高い光学性能を有するズームレンズを得ること。    【解決手段】  物体側より像側へ順に配置された、正の屈折力の第１レンズ群、負の屈折力の第２レンズ群、正の屈折力の第３レンズ群、負の屈折力の第４レンズ群、正の屈折力の第５レンズ群より構成され、広角端から望遠端へのズーミングに際して、第２レンズ群は物体側から像側へ移動し、第３レンズ群および第４レンズ群は移動し、ズーミングに際して隣り合うレンズ群の間隔が変化するズームレンズであって、第３レンズ群の焦点距離ｆ３、第４レンズ群の焦点距離ｆ４、広角端から望遠端へのズーミングにおける第２レンズ群の移動量Ｍ２、広角端から望遠端へのズーミングにおける第３レンズ群の移動量Ｍ３を各々適切に設定すること。【選択図】    図１
2019128474.tif 000002
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群より構成され、
広角端から望遠端へのズーミングに際して、前記第２レンズ群は物体側から像側へ移動し、前記第３レンズ群および前記第４レンズ群は移動し、ズーミングに際して隣り合うレンズ群の間隔が変化するズームレンズであって、
前記第３レンズ群の焦点距離をｆ３、前記第４レンズ群の焦点距離をｆ４、広角端から望遠端へのズーミングにおける前記第２レンズ群の移動量をＭ２、広角端から望遠端へのズーミングにおける前記第３レンズ群の移動量をＭ３とするとき、
−１．５２≦ｆ３／ｆ４≦−１．２５
３．０≦｜Ｍ２／Ｍ３｜≦６．０
なる条件式を満足することを特徴とするズームレンズ。
【請求項２】
ズーミングに際して前記第１レンズ群は不動であることを特徴とする請求項１に記載のズームレンズ。
【請求項３】
ズーミングに際して前記第５レンズ群は不動であることを特徴とする請求項１または２に記載のズームレンズ。
【請求項４】
前記第２レンズ群と前記第３レンズ群の間に配置された開口絞りを有し、該開口絞りはズーミングに際して不動であることを特徴とする請求項１乃至３のいずれか１項に記載のズームレンズ。
【請求項５】
前記第１レンズ群は、物体側から像側へ順に配置された、負レンズ、正レンズ、正レンズより構成されていることを特徴とする請求項１乃至４のいずれか１項に記載のズームレンズ。
【請求項６】
前記第４レンズ群は、１枚の負レンズよりで構成されていることを特徴とする請求項１乃至５のいずれか１項に記載のズームレンズ。
【請求項７】
前記第４レンズ群は、互いに接合された正レンズと負レンズより構成されていることを特徴とする請求項１乃至５のいずれか１項に記載のズームレンズ。
【請求項８】
前記第５レンズ群は、１枚の正レンズより構成されていることを特徴とする請求項１乃至７のいずれか１項に記載のズームレンズ。
【請求項９】
前記第５レンズ群は、互いに接合された正レンズと負レンズより構成されていることを特徴とする請求項１乃至７のいずれか１項に記載のズームレンズ。
【請求項１０】
前記第１レンズ群の焦点距離をｆ１とするとき、
２．０≦ｆ１／ｆ３≦４．０
なる条件式を満足することを特徴とする請求項１乃至９のいずれか１項に記載のズームレンズ。
【請求項１１】
前記第１レンズ群の焦点距離をｆ１とするとき、
３．０≦｜ｆ１／ｆ４｜≦５．０
なる条件式を満足することを特徴とする請求項１乃至１０のいずれか１項に記載のズームレンズ。
【請求項１２】
前記第１レンズ群の焦点距離をｆ１、広角端における全系の焦点距離をｆｗとするとき、
６．０≦ｆ１／ｆｗ≦１２．０
なる条件式を満足することを特徴とする請求項１乃至１１のいずれか１項に記載のズームレンズ。
【請求項１３】
広角端における全系の焦点距離をｆｗとするとき、
２．０≦ｆ３／ｆｗ≦４．０
なる条件式を満足することを特徴とする請求項１乃至１２のいずれか１項に記載のズームレンズ。
【請求項１４】
広角端における全系の焦点距離をｆｗとするとき、
１．０≦｜ｆ４／ｆｗ｜≦３．０
なる条件式を満足することを特徴とする請求項１乃至１３のいずれか１項に記載のズームレンズ。
【請求項１５】
広角端から望遠端へのズーミングにおける前記第４レンズ群の移動量をＭ４とするとき、
０．２≦｜Ｍ４／Ｍ３｜≦２．０
なる条件式を満足することを特徴とする請求項１乃至１４のいずれか１項に記載のズームレンズ。
【請求項１６】
広角端における前記第３レンズ群の横倍率をβ３Ｗ、望遠端における前記第３レンズ群の横倍率をβ３Ｔ、広角端における前記第４レンズ群の横倍率をβ４Ｗ、望遠端における前記第４レンズ群の横倍率をβ４Ｔとするとき、
１．１≦｜（β３Ｔ×β４Ｔ）／（β３Ｗ×β４Ｗ）｜≦２．０
なる条件式を満足することを特徴とする請求項１乃至１５のいずれか１項に記載のズームレンズ。
【請求項１７】
前記第２レンズ群の焦点距離をｆ２とするとき、
−２．５≦ｆ３／ｆ２≦−１．０
なる条件式を満足することを特徴とする請求項１乃至１６のいずれか１項に記載のズームレンズ。
【請求項１８】
前記第５レンズ群の焦点距離をｆ５とするとき、
０．５≦ｆ３／ｆ５≦２．０
なる条件式を満足することを特徴とする請求項１乃至１７のいずれか１項に記載のズームレンズ。
【請求項１９】
広角端から望遠端へのズーミングに際して、前記第３レンズ群は物体側へ移動し、前記第４レンズ群は物体側へ移動することを特徴とする請求項１乃至１８のいずれか１項に記載のズームレンズ。
【請求項２０】
請求項１乃至１９のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、特にデジタルスチルカメラ、ビデオカメラ、監視用カメラ、放送用カメラ等の撮像装置に用いる撮像光学系として好適なものである。
【背景技術】
【０００２】
近年、撮像装置に用いられる撮像光学系には、高ズーム比でしかも全系が小型のズームレンズであることが要求されている。
【０００３】
これらの要求に応えるズームレンズとして、物体側より像側へ順に配置された、正の屈折力の第１レンズ群、負の屈折力の第２レンズ群、１つ以上のレンズ群より構成される後群を有するポジティブリード型のズームレンズが知られている。
【０００４】
特許文献１、２には、物体側から像側へ順に配置された、正の屈折力の第１レンズ群、負の屈折力の第２レンズ群、正の屈折力の第３レンズ群、負の屈折力の第４レンズ群、正の屈折力の第５レンズ群よりなるズームレンズが開示されている。
【先行技術文献】
【特許文献】
【０００５】
【特許文献１】特開２００６−３３７７４５号公報
【特許文献２】特開２０１２−１１３２８５号公報
【発明の概要】
【発明が解決しようとする課題】
【０００６】
特許文献１、２に記載のズームレンズは、全系の小型化及び高ズーム化を図ることが比較的容易である。全系が小型でありながら、高いズーム比を有しつつ、全ズーム範囲にわたり高い光学性能を得るには、ズームタイプと、各レンズ群の屈折力、ズーミングに際してのレンズ群の移動軌跡等を適切に設定することが重要になる。
【０００７】
特に前述したズームタイプの、５群ズームレンズでは、第３レンズ群の屈折力や、第４レンズ群の屈折力、そしてズーミングに際しての第２レンズ群と第３レンズ群との移動軌跡や移動量等を適切に設定することが重要になってくる。これらの構成を適切に設定しないと、全系の小型化を図りつつ、高ズーム比のズームレンズを得ることが困難となってくる。
【０００８】
このほか、全系に対する各レンズ群の屈折力や、開口絞りよりも像側に配置される各レンズ群の変倍比、ズーミングに際しての移動軌跡や移動量などを適切に設定することが重要になってくる。
【０００９】
本発明は、全系が小型でありながら、高いズーム比を有し、全ズーム範囲にわたり高い光学性能を有するズームレンズ及びそれを有する撮像装置の提供を目的とする。
【課題を解決するための手段】
【００１０】
本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群より構成され、
広角端から望遠端へのズーミングに際し、前記第２レンズ群は、物体側から像側へ移動し、前記第３レンズ群および前記第４レンズ群は移動し、ズーミングに際して隣り合うレンズ群の間隔が変化するズームレンズであって、
前記第３レンズ群の焦点距離をｆ３、前記第４レンズ群の焦点距離をｆ４、広角端から望遠端へのズーミングにおける前記第２レンズ群の移動量をＭ２、広角端から望遠端へのズーミングにおける前記第３レンズ群の移動量をＭ３とするとき、
−１．５２≦ｆ３／ｆ４≦−１．２５
３．０≦｜Ｍ２／Ｍ３｜≦６．０
なる条件式を満足することを特徴としている。
【発明の効果】
【００１１】
本発明によれば、全系が小型でありながら、高いズーム比を有し、全ズーム範囲にわたり高い光学性能を有するズームレンズが得られる。
【図面の簡単な説明】
【００１２】
【図１】実施例１の広角端におけるレンズ断面図
【図２】（Ａ）、（Ｂ）、（Ｃ）  実施例１の広角端、中間のズーム位置、望遠端における収差図
【図３】実施例２の広角端におけるレンズ断面図
【図４】（Ａ）、（Ｂ）、（Ｃ）  実施例２の広角端、中間のズーム位置、望遠端における収差図
【図５】実施例３の広角端におけるレンズ断面図
【図６】（Ａ）、（Ｂ）、（Ｃ）  実施例３の広角端、中間のズーム位置、望遠端における収差図
【図７】実施例４の広角端におけるレンズ断面図
【図８】（Ａ）、（Ｂ）、（Ｃ）  実施例４の広角端、中間のズーム位置、望遠端における収差図
【図９】実施例５の広角端におけるレンズ断面図
【図１０】（Ａ）、（Ｂ）、（Ｃ）  実施例５の広角端、中間のズーム位置、望遠端における収差図
【図１１】実施例６の広角端におけるレンズ断面図
【図１２】（Ａ）、（Ｂ）、（Ｃ）  実施例６の広角端、中間のズーム位置、望遠端における収差図
【図１３】実施例７の広角端におけるレンズ断面図
【図１４】（Ａ）、（Ｂ）、（Ｃ）  実施例７の広角端、中間のズーム位置、望遠端における収差図
【図１５】本発明のズームレンズを搭載する撮像装置（監視カメラ）の要部概略図
【発明を実施するための形態】
【００１３】
以下、本発明のズームレンズ及びそれを有する撮像装置について説明する。本発明のズームレンズは、物体側から像側へ順に配置された次のレンズ群より構成されている。正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より構成されている。
【００１４】
ズーミングに際して、第１レンズ群Ｌ１と第５レンズ群Ｌ５は不動で、第２レンズ群Ｌ２、第３レンズ群Ｌ３、第４レンズ群Ｌ４は移動している。そしてズーミングに際して隣り合うレンズ群の間隔が変化する。
【００１５】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比２１．５１、Ｆナンバー１．６５〜３．７１のズームレンズである。
【００１６】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比２１．９２、Ｆナンバー１．６５〜３．７１のズームレンズである。
【００１７】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比２１．９２、Ｆナンバー１．６５〜３．７１のズームレンズである。
【００１８】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比１９．９２、Ｆナンバー１．６５〜３．７１のズームレンズである。
【００１９】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２１．９２、Ｆナンバー１．６５〜３．７１のズームレンズである。
【００２０】
図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比１５．９３、Ｆナンバー１．６５〜３．７１のズームレンズである。図１３は本発明の撮像装置の要部概略図である。
【００２１】
図１３は本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比２４．９２、Ｆナンバー１．６５〜３．７１のズームレンズである。
【００２２】
図１５は本発明の撮像装置の要部概略図である。
【００２３】
各実施例のズームレンズはビデオカメラ、デジタルカメラ、ＴＶカメラ、監視用カメラ等の撮像装置に用いられる撮像光学系である。レンズ断面図において、左方が被写体側（物体側）（前方）で、右方が像側（後方）である。レンズ断面図において、Ｌ０はズームレンズである。ｉは物体側からのレンズ群の順番を示し、Ｌｉは第ｉレンズ群である。
【００２４】
レンズ断面図において、ＳＰは開口絞りであり、第３レンズ群Ｌ３の物体側に配置している。レンズ断面図において、ＧＢは光学フィルター、フェースプレート、水晶ローパスフィルター、赤外カットフィルター等に相当する光学素子である。ＩＰは像面であり、ビデオカメラやデジタルスチルカメラの撮像光学系として使用する際にはＣＣＤセンサやＣＭＯＳセンサ等の固体撮像素子（光電変換素子）が置かれる。
【００２５】
矢印は広角端から望遠端へのズーミング（変倍）に際して、各レンズ群の移動軌跡と、フォーカシングの際のレンズ群の移動方向を示している。収差図のうち球面収差において、実線のｄはｄ線（波長５８７．６ｎｍ）、２点鎖線のｇはｇ線（波長４３５．８ｎｍ）である。非点収差図において点線のＭはｄ線のメリディオナル像面、実線のＳはｄ線のサジタル像面である。倍率色収差はｄ線に対するｇ線によって表している。ωは半画角（撮影画角の半分の値）（度）、ＦｎｏはＦナンバーである。
【００２６】
各実施例のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群である。Ｌ５は正の屈折力の第５レンズ群Ｌ５である。各実施例は５群ズームレンズである。
【００２７】
各実施例ではズーミングに際して第１レンズ群Ｌ１と第５レンズ群Ｌ５は不動である。広角端から望遠端へのズーミングに際して矢印のように第２レンズ群Ｌ２は像側へ移動する。第３レンズ群Ｌ３は物体側へ移動する。第４レンズ群Ｌ４は物体側へ移動する。ズーミングに際して開口絞りＳＰは不動である。
【００２８】
第４レンズ群Ｌ４を移動させて変倍に伴う像面変動を補正すると共に、フォーカシングを行っている。第４レンズ群Ｌ４に関する実線の曲線４ａと点線の曲線４ｂは、各々無限遠と近距離にフォーカスしているときの変倍に伴う像面変動を補正するための移動軌跡である。また、無限遠から近距離へフォーカスは、矢印４Ｃに示す如く第４レンズ群Ｌ４を後方に繰り込むことで行っている。尚、フォーカシングは第４レンズ群Ｌ４に限らず、その他のレンズ群を単独、もしくは複数のレンズ群を用いて行っても良い。例えば第２レンズ群Ｌ２の一部又は全部、又は第５レンズ群Ｌ５で行っても良い。
【００２９】
前述したポジティブリード型の５群ズームレンズでは、ズーミングに際して第１レンズ群を移動させるズーム方式を用いると、全系の小型化を図りつつ、高ズーム比が容易になる。しかしながら、例えば監視用途のカメラにおいては、ズーミングに際して第１レンズ群を可動とすると、耐衝撃性、防水性、防塵性が弱くなってくる。このため各実施例のズームレンズではズーミングに際して第１レンズ群を不動としている。
【００３０】
各実施例において、第３レンズ群Ｌ３は、広角端から望遠端へのズーミングに際して、矢印のように像側から物体側へ移動している。第３レンズ群Ｌ３を、広角端において望遠端よりも像側に配置することで、負の屈折力を有する第２レンズ群Ｌ２との間隔が広がるため、広角端における全系の焦点距離を広角側へ広げやすくなる。
【００３１】
更に、第３レンズ群Ｌ３を、広角端から望遠端へのズーミングに際して、物体側へ移動することにより、第３レンズ群Ｌ３より像側の空間が拡大する。そのため、第４レンズ群Ｌ４の、広角端から望遠端へのズーミング中の移動に必要な空間を十分に確保して、レンズ全長の短縮化を効果的に達成している。
【００３２】
尚、第１レンズ群Ｌ１はフォーカシングに際して不動であるが、収差補正上必要に応じて移動させても良い。また、第３レンズ群Ｌ３の全体または一部を、光軸に対して垂直方向の成分を持つように移動することで、撮影時にズームレンズが振動したときの撮影画像のブレを補正しても良い。
【００３３】
各実施例のズームレンズは、全系が小型でありながら、ズーム比２０程度の高いズーム比を有するズームレンズになるように各要素を特定している。レンズ全長を短縮しながら、十分なズーム比を確保するためには、第３レンズ群Ｌ３より像側の空間の有効利用を図るのが良い。このために、第３レンズ群Ｌ３の屈折力や、広角端から望遠端へのズーミングに際しての移動量が重要な要素となる。
【００３４】
そこで各実施例では、第３レンズ群Ｌ３の焦点距離をｆ３、第４レンズ群Ｌ４の焦点距離をｆ４とする。広角端から望遠端へのズーミングにおける第２レンズ群Ｌ２の移動量をＭ２、広角端から望遠端へのズーミングにおける第３レンズ群Ｌ３の移動量をＭ３とする。このとき、
−１．５２≦ｆ３／ｆ４≦−１．２５    ・・・（１）
３．０≦｜Ｍ２／Ｍ３｜≦６．０        ・・・（２）
なる条件式を満足する。
【００３５】
ここで、広角端から望遠端へのズーミングに際してのレンズ群の移動量とは、レンズ群の広角端と望遠端における光軸上の位置の差である。レンズ群の移動量の符号は広角端に比べて望遠端において、レンズ群が像側に位置するときを正とし、物体側に位置するときを負とする。
【００３６】
次に前述の各条件式の技術的意味について説明する。条件式（１）は、第３レンズ群Ｌ３の焦点距離ｆ３と、第４レンズ群Ｌ４の焦点距離ｆ４との比を適切に設定するものである。
【００３７】
条件式（１）の上限を超えて、第３レンズ群Ｌ３の正の屈折力が強くなると、広角端において球面収差の補正が困難になる。また広角端から望遠端へのズーミングに際して像面湾曲やコマ収差の変動が増大し、これらの諸収差の変動を軽減するのが困難になる。条件式（１）の下限を超えて、第３レンズ群Ｌ３の正の屈折力が強くなると、広角端から望遠端へのズーミングにおける第３レンズ群Ｌ３の移動量が大きくなり、レンズ全長が増大するため、好ましくない。
【００３８】
条件式（２）は、広角端から望遠端へのズーミングにおける第２レンズ群Ｌ２の移動量と、第３レンズ群Ｌ３の移動量との比を適切に設定するものである。条件式（２）の上限を超えて、主変倍レンズ群である第２レンズ群Ｌ２の移動量が増大すると、レンズ全長が増大するとともに、前玉有効径が増大するため、好ましくない。
【００３９】
条件式（２）の下限を超えて、第３レンズ群Ｌ３の移動量が増大すると、ズーミングに際して収差変動が増大してくる。特に第３レンズ群Ｌ３は、広角端において球面収差の補正や、広角端から望遠端へのズーミングに際して像面湾曲やコマ収差の変動の抑制をおこなっている。このため下限値を超えるとこれらの諸収差の変動を軽減するのが困難となり、ズーム全域で高い光学性能を得るのが困難になる。
【００４０】
各実施例において、好ましくは、条件式（１）、（２）の数値範囲を次の如く設定するのが良い。
−１．５０≦ｆ３／ｆ４≦−１．３０    ・・・（１ａ）
３．１≦｜Ｍ２／Ｍ３｜≦５．０        ・・・（２ａ）
【００４１】
更に好ましくは、条件式（１ａ）、（２ａ）の数値範囲を次の如く設定するのが良い。
−１．５０≦ｆ３／ｆ４≦−１．３３    ・・・（１ｂ）
３．２≦｜Ｍ２／Ｍ３｜≦４．８    ・・・（２ｂ）
【００４２】
各実施例では、以上の如く構成することにより、全系が小型でありながら、ズーム比２０程度の高いズーム比を有し、全ズーム範囲にわたり高い光学性能を有したズームレンズを得ている。
【００４３】
各実施例において好ましくは次の条件式のうち１つ以上を満足するのが良い。第１レンズ群Ｌ１の焦点距離をｆ１とする。広角端における全系の焦点距離をｆｗとする。広角端から望遠端へのズーミングにおける第４レンズ群Ｌ４の移動量をＭ４とする。広角端における第３レンズ群Ｌ３の横倍率をβ３Ｗ、望遠端における第３レンズ群Ｌ３の横倍率をβ３Ｔ、広角端における第４レンズ群Ｌ４の横倍率をβ４Ｗ、望遠端における第４レンズ群Ｌ４の横倍率をβ４Ｔとする。第２レンズ群Ｌ２の焦点距離をｆ２とする。第５レンズ群Ｌ５の焦点距離をｆ５とする。
【００４４】
このとき次の条件式のうち１つ以上を満足するのが良い。
２．０≦ｆ１／ｆ３≦４．０        ・・・（３）
３．０≦｜ｆ１／ｆ４｜≦５．０    ・・・（４）
６．０≦ｆ１／ｆｗ≦１２．０      ・・・（５）
２．０≦ｆ３／ｆｗ≦４．０        ・・・（６）
１．０≦｜ｆ４／ｆｗ｜≦３．０    ・・・（７）
０．２≦｜Ｍ４／Ｍ３｜≦２．０    ・・・（８）
１．１≦｜（β３Ｔ×β４Ｔ）／（β３Ｗ×β４Ｗ）｜≦２．０    ・・・（９）
−２．５≦ｆ３／ｆ２≦−１．０    ・・・（１０）
０．５≦ｆ３／ｆ５≦２．０        ・・・（１１）
【００４５】
次に前述の各条件式の技術的意味について説明する。条件式（３）は、第１レンズ群Ｌ１の焦点距離と、第３レンズ群Ｌ３の焦点距離との比を適切に設定するものである。条件式（３）の上限を超えて、第１レンズ群Ｌ１の正の屈折力が弱くなると、レンズ全長が増大するため、好ましくない。条件式（３）の下限を超えて、第３レンズ群Ｌ３の正の屈折力が弱くなると、第３レンズ群Ｌ３から像面までの間隔が長くなり過ぎ、レンズ全長が増大するため、好ましくない。
【００４６】
条件式（４）は、第１レンズ群Ｌ１の焦点距離と、第４レンズ群Ｌ４の焦点距離との比を適切に設定するものである。条件式（４）の上限を超えて、第４レンズ群Ｌ４の負の屈折力が強くなると（負の屈折力の絶対値が大きくなると）、被写体距離の変動に伴う（フォーカシングに伴う）像面湾曲やフレアの変動を補正するのが困難となる。条件式（４）の下限を超えて、第４レンズ群Ｌ４の負の屈折力が弱くなると（負の屈折力の絶対値が小さくなると）、フォーカシングに必要な第４レンズ群Ｌ４の移動量が過剰に大きくなり、レンズ全長が増大するため、好ましくない。
【００４７】
条件式（５）は、第１レンズ群Ｌ１の焦点距離と、広角端における全系の焦点距離との比を適切に設定するものである。条件式（５）の上限を超えて、第１レンズ群Ｌ１の正の屈折力が弱くなると、レンズ全長が増大するため、好ましくない。条件式（５）の下限を超えて、第１レンズ群Ｌ１の正の屈折力が強くなると、望遠端において球面収差や像面湾曲の補正が困難となる。
【００４８】
条件式（６）は、第３レンズ群Ｌ３の焦点距離と、広角端における全系の焦点距離との比を適切に設定するものである。条件式（６）の上限を超えて、第３レンズ群Ｌ３の正の屈折力が弱くなると、第３レンズ群Ｌ３から像面までの間隔が長くなり過ぎ、レンズ全長が増大するため好ましくない。条件式（６）の下限を超えて、第３レンズ群Ｌ３の正の屈折力が強くなると、広角端において球面収差の補正が困難になる。更に、ズーミングに際して像面湾曲やコマ収差の変動が増大し、これらの諸収差の変動を軽減するのが困難になる。
【００４９】
条件式（７）は、第４レンズ群Ｌ４の焦点距離と、広角端における全系の焦点距離との比を適切に設定するものである。条件式（７）の上限を超えて、第４レンズ群Ｌ４の負の屈折力が弱くなると、フォーカシングに必要な第４レンズ群Ｌ４の移動量が過剰に大きくなり、レンズ全長が増大するため好ましくない。条件式（７）の下限を超えて、第４レンズ群Ｌ４の負の屈折力が強くなると、フォーカシングに際して像面湾曲やフレアの変動の補正が困難となる。
【００５０】
条件式（８）は、広角端から望遠端へのズーミングにおける第３レンズ群Ｌ３の移動量と第４レンズ群Ｌ４の移動量との比を適切に設定するものである。条件式（８）の上限を超えて、第４レンズ群Ｌ４の移動量が増大すると、ズーミングに際し必要な駆動範囲が過剰に長くなり、レンズ全長が増大するため、好ましくない。条件式（８）の下限を超えて、第３レンズ群Ｌ３の、移動量が増大すると、ズーミングに伴う像面湾曲やコマ収差の変動の補正が困難となる。
【００５１】
条件式（９）は、第３レンズ群Ｌ３の変倍比と、第４レンズ群Ｌ４の変倍比を適正に設定するものである。条件式（９）の上限を超えると、第３レンズ群Ｌ３の変倍比と第４レンズ群Ｌ４の変倍比が大きくなりすぎて、第２レンズ群Ｌ２に必要な変倍比が低下する。また、第３レンズ群Ｌ３の正の屈折力と第４レンズ群Ｌ４の負の屈折力が強くなりすぎてズーミングに際し像面湾曲やコマ収差の変動が増大し、更にフォーカシングに際して、像面湾曲やフレアの変動の補正が、困難となる。
【００５２】
条件式（９）の下限を超えると、広角端から望遠端への全系の変倍比を確保するために、第２レンズ群Ｌ２に必要な変倍比が過剰に大きくなるので良くない。そのため、第２レンズ群Ｌ２のズーミングに際して必要な移動量が大きくなり、レンズ全長が増大するため、好ましくない。
【００５３】
条件式（１０）は、第３レンズ群Ｌ３の焦点距離と、第２レンズ群Ｌ２の焦点距離との比を適切に設定するものである。条件式（１０）の上限を超えると、第３レンズ群Ｌ３の正の屈折力が強くなり、広角端において球面収差の補正が困難になる。更にズーミングに際して像面湾曲やコマ収差の変動を軽減するのが困難となる。条件式（１０）の下限を超えると、第２レンズ群Ｌ２の負の屈折力が強くなり、ズーミングに際して像面湾曲や倍率色収差の変動を軽減するのが困難となる。
【００５４】
条件式（１１）は、第３レンズ群Ｌ３の焦点距離と、第５レンズ群Ｌ５の焦点距離との比を適切に設定するものである。条件式（１１）の上限を超えて、第５レンズ群Ｌ５の正の屈折力が強くなると、ズーム全域において像面湾曲の補正が困難となる。条件式（１１）の下限を超えて、第５レンズ群Ｌ５の正の屈折力が弱くなると、第５レンズ群Ｌ５から像面までの距離が長くなるため、レンズ全長が増大するため、好ましくない。
【００５５】
尚、各実施例において、収差補正上更に好ましくは、条件式（３）乃至（９）の数値範囲を次の如く設定するのが良い。
２．５≦ｆ１／ｆ３≦３．５            ・・・（３ａ）
３．５≦｜ｆ１／ｆ４｜≦４．８        ・・・（４ａ）
７．０≦ｆ１／ｆｗ≦１１．０          ・・・（５ａ）
２．５≦ｆ３／ｆｗ≦３．６            ・・・（６ａ）
１．８≦｜ｆ４／ｆｗ｜≦２．５        ・・・（７ａ）
０．５≦｜Ｍ４／Ｍ３｜≦１．５        ・・・（８ａ）
１．２≦｜（β３Ｔ×β４Ｔ）／（β３Ｗ×β４Ｗ）｜  ≦２．５    ・・・（９ａ）
−２．２≦ｆ３／ｆ２≦−１．５        ・・・（１０ａ）
０．８≦ｆ３／ｆ５≦１．５            ・・・（１１ａ）
【００５６】
更に好ましくは、条件式（３ａ）乃至（９ａ）の数値範囲を次の如く設定するのが良い。
２．８≦ｆ１／ｆ３≦３．２            ・・・（３ｂ）
３．９≦｜ｆ１／ｆ４｜≦４．５        ・・・（４ｂ）
８．０≦ｆ１／ｆｗ≦１０．０          ・・・（５ｂ）
２．８≦ｆ３／ｆｗ≦３．２            ・・・（６ｂ）
２．０≦｜ｆ４／ｆｗ｜≦２．３        ・・・（７ｂ）
０．９≦｜Ｍ４／Ｍ３｜≦１．２        ・・・（８ｂ）
１．３≦｜（β３Ｔ×β４Ｔ）／（β３Ｗ×β４Ｗ）｜≦１．８    ・・・（９ｂ）
−１．９≦ｆ３／ｆ２≦−１．７        ・・・（１０ａ）
１．０≦ｆ３／ｆ５≦１．３            ・・・（１１ａ）
【００５７】
各実施例では、以上のように構成することによって、全系が小型でありながら、ズーム比２０程度の高いズーム比を有し、全ズーム範囲にわたり高い光学性能を有するズームレンズを得ている。
【００５８】
各実施例において更に好ましくは、次の構成のうち１以上を満足するのが良い。第１レンズ群Ｌ１は、物体側から像側へ順に配置された、負レンズ、正レンズ、正レンズより構成している。このような構成にすると、第１レンズ群Ｌ１を構成するレンズ枚数を少なくして、レンズ全長の短縮化を図るとともに、望遠端において球面収差や軸上色収差の補正が容易になる。
【００５９】
第２レンズ群Ｌ２は、物体側から像側へ順に配置された、像側が凹面で、物体側に比べて像側のほうの曲率が強い負レンズ、負レンズ、負レンズ、物体側が凸面の正レンズより構成している。このような構成にすると、広角端から望遠端へのズーミングに際し像面湾曲やコマ収差、倍率色収差などの諸収差の変動を軽減するのが容易となる。
【００６０】
実施例１、２、４、６では、第３レンズ群Ｌ３は、物体側から像側へ順に、次の構成よりなっている。物体側が凸面で、１面に非球面形状を有する正レンズ、像側が凹面でメニスカス形状の負レンズ、像側が凸面で、１面に非球面形状を有する正レンズより構成している。このような構成にすることで、広角端において球面収差や、広角端から望遠端へのズーミングに際し像面湾曲やコマ収差等の諸収差の変動を軽減するのが容易となる。
【００６１】
実施例３、５、７では、第３レンズ群Ｌ３は、物体側から像側へ順に、物体側が凸面で、１面に非球面形状を有する正レンズ、接合レンズ、像側が凸面で、１面に非球面形状を有する正レンズより構成している。ここで接合レンズは、物体側から像側へ順に、負レンズと正レンズを接合し、接合レンズ面が物体側に凸面を向け、正レンズの像側が凹面より構成している。
【００６２】
このような構成にすることで、広角端において球面収差や軸上色収差、広角端から望遠端へのズーミングに際して像面湾曲やコマ収差等の諸収差の変動を軽減し、更にズーム全域において画面周辺でのフレアを好適に軽減している。また、第４レンズ群Ｌ４は、１枚の負レンズより構成している。具体的には像側が凹面の負レンズより構成している。第４レンズ群Ｌ４は、収差補正上必要に応じて、互いに接合された負レンズと正レンズより構成した、負の屈折力の接合レンズで構成しても良い。
【００６３】
このような構成にすることで、第４レンズ群Ｌ４を構成するレンズ枚数を少なくして、レンズ全長の短縮化を図っている。更に、フォーカシング機能を有する第４レンズ群Ｌ４の装置構成を簡素化し、フォーカス速度の向上を図りつつ装置全体の小型化を容易にしている。
【００６４】
また、第５レンズ群Ｌ５は、１枚の正レンズより構成している。具体的には物体側が凸面の１枚の正レンズで構成している。第５レンズ群Ｌ５は、収差補正上必要に応じて、互いに接合された正レンズと負レンズより構成した、正の屈折力の接合レンズで構成しても良い。このような構成にすることで、第５レンズ群Ｌ５を構成するレンズ枚数を少なくして、レンズ全長の短縮化を図るとともに、ズーム全域の像面湾曲を好適に補正している。
【００６５】
更に、収差補正上必要に応じて、第５レンズ群Ｌ５の少なくとも１面に非球面形状を有しても良い。また、第５レンズ群Ｌ５は、ズーミングに際して不動としている。このような構成にすることで、像面に最も近接して配置されるレンズ群がズーミングに際して移動不要となるため、第５レンズ群Ｌ５から像面までの装置構成を簡素化し、装置全体の小型化を容易にしている。
【００６６】
また、開口絞りＳＰは、第２レンズ群Ｌ２と第３レンズ群Ｌ３の間に配置して、ズーミングに際して不動としている。開口絞りＳＰを第２レンズ群Ｌ２と第３レンズ群Ｌ３の間に配置することで、レンズ全系の最も物体側のレンズ面から開口絞りＳＰまでの距離を短くして、前玉有効径の小型化を図っている。開口絞りＳＰをズーミングに際して不動とすることで、開口絞りＳＰと、開口絞りＳＰを保持するための装置構造を簡素化し、装置全体の小型化を図っている。
【００６７】
以上の構成をとることによって、全系が小型でありながら、ズーム比２０程度の高いズーム比を有するズームレンズで、全ズーム範囲にわたり高い光学性能を得ている。
【００６８】
次に本発明のズームレンズを撮像光学系として用いた監視カメラ（撮像装置）の実施例について図１５を用いて説明する。
【００６９】
図１５において１０は監視カメラ本体、１１は本発明のズームレンズによって構成された撮像光学系である。１２はズームレンズによって形成された被写体像を受光する撮像素子、１３は情報を記録する記録手段、１４は、情報転送のためのネットワークケーブルである。
【００７０】
この様に本発明のズームレンズを監視カメラ等の撮像装置に適用する事により、小型で高い光学性能を有する撮像装置を得ている。なお、撮像素子にＣＭＯＳ等の電子撮像素子を用いれば、電子的に収差補正をする事で出力画像を更に高画質化する事が容易となる。
【００７１】
以上、本発明の好ましい実施形態について説明したが、本発明はこれらの実施形態に限定されず、その要旨の範囲内で種々の変形及び変更が可能である。
【００７２】
以下に、実施例１乃至７に各々対応する数値データ１乃至７を示す。各数値データにおいて、ｒｉは物体側より順に第ｉ番目の面の曲率半径、ｄｉは第ｉ番目の面と第ｉ＋1番目の面の間隔（レンズ厚あるいは空気間隔）、ｎｄｉとνｄｉはそれぞれ第ｉ番目のレンズの材料の屈折率とアッベ数を示す。また、数値データ１乃至７では、最も像側の２つの面はガラスブロックに相当する平面である。
【００７３】
ＢＦはバックフォーカスであり、レンズ最終面から近軸像面までの距離を空気換算長により表したものである。レンズ全長は第１レンズ面から最終レンズ面までの長さに、バックフォーカスＢＦの値を加えた長さである。＊は非球面を意味する。非球面形状は、光軸方向にＸ軸、光軸と垂直方向ｈ軸、光の進行方向を正とし、Ｒを近軸曲率半径、ｋを円推定数、Ａ４、Ａ６、Ａ８、Ａ１０を各々非球面径数とする。
このとき、
【００７４】
【数１】
2019128474.tif 000003
【００７５】
なる式で表している。例えば「ｅ−ｘ」の表示は「１０−ｘ」を意味する。また前述の各条件式と数値実施例における諸数値との関係を表１に示す。
【００７６】
［数値データ１］
単位 mm
面データ
面番号       r        d      nd         νd
1         59.142    1.50   1.85478    24.8           
2         30.477    6.95   1.49700    81.5           
3        719.759    0.15                             
4         32.916    3.84   1.83481    42.7           
5        131.359  (可変)                             
6         93.715    0.90   1.91082    35.3           
7          9.746    3.99                             
8         43.827    0.70   1.83481    42.7           
9         21.449    2.51                             
10        -32.227    0.65   1.77250    49.6           
11         38.138    0.15                             
12         22.476    2.28   1.95906    17.5           
13       -370.085  (可変)                             
14(絞り)    ∞     (可変)                             
15*        10.918    4.15   1.69350    53.2           
16        203.150    4.43                             
17          8.385    0.60   1.95906    17.5           
18          5.568    3.61                             
19*        12.503    3.40   1.49710    81.6           
20*       -15.263  (可変)                             
21        -34.076    0.50   1.95375    32.3           
22         16.649  (可変)                             
23         22.825    1.99   2.00100    29.1           
24        -37.175    2.58                             
25          ∞       1.72   1.51633    64.1           
26          ∞       2.00                             
像面        ∞   
【００７７】
非球面データ
第15面
K =-1.83932e+000  A 4= 1.13163e-004  A 6=-4.26087e-007  A 8= 4.40683e-009  A10=-3.84758e-011  
第19面
K = 1.35935e+000  A 4=-3.16271e-004  A 6=-2.23477e-006  A 8=-2.25020e-007  
第20面
K = 0.00000e+000  A 4=-3.62501e-004  A 6=-4.73602e-006  A 8=-1.09879e-007  A10=-3.13085e-009  
【００７８】
各種データ
ズーム比     21.51 
広角     中間     望遠
焦点距離       5.34    43.72   114.77  
Fナンバー      1.65     3.30     3.71  
半画角（度）  36.86     5.23     2.00  
像高           4.00     4.00     4.00  
レンズ全長    95.53    95.53    95.53  
BF             5.72     5.72     5.72  
d 5            0.60    24.80    30.84  
d13           31.04     6.85     0.80  
d14            9.92     2.40     0.60  
d20            3.58     7.03     2.27  
d22            2.38     6.45    13.01  
レンズ群データ
群  始面    焦点距離  
1    1      47.48  
2    6      -9.44  
3   14       ∞    
4   15      16.60  
5   21     -11.67  
6   23      14.37  
【００７９】
［数値データ２］
単位 mm
面データ
面番号       r        d      nd         νd
1         61.717    1.50   1.85478    24.8           
2         31.451    6.89   1.49700    81.5           
3       1480.510    0.15                             
4         33.545    3.97   1.83481    42.7           
5        132.663  (可変)                             
6         92.439    0.90   1.91082    35.3           
7          9.719    4.33                             
8         73.769    0.70   1.83481    42.7           
9         29.961    2.13                             
10        -31.016    0.65   1.77250    49.6           
11         36.763    0.15                             
12         23.025    2.29   1.95906    17.5           
13       -276.989  (可変)                             
14(絞り)    ∞     (可変)                             
15*        10.750    4.60   1.69350    53.2           
16        162.416    4.16                             
17          8.245    0.60   1.95906    17.5           
18          5.459    3.74                             
19*        12.432    3.42   1.49710    81.6           
20*       -15.114  (可変)                             
21        -36.382    0.50   1.95375    32.3           
22         15.181  (可変)                             
23         21.280    2.12   2.00100    29.1           
24        -37.495    2.56                             
25          ∞       1.72   1.51633    64.1           
26          ∞       2.00                             
像面        ∞   
【００８０】
非球面データ
第15面
K =-1.79983e+000  A 4= 1.15850e-004  A 6=-3.23593e-007  A 8= 2.93014e-009  A10=-2.76487e-011  
第19面
K = 1.65429e+000  A 4=-3.56963e-004  A 6=-2.79414e-006  A 8=-2.66105e-007  
第20面
K = 0.00000e+000  A 4=-3.96599e-004  A 6=-4.34069e-006  A 8=-1.59031e-007  A10=-2.63324e-009  
【００８１】
各種データ
ズーム比     21.92 
広角     中間     望遠
焦点距離       5.39    43.23   118.16  
Fナンバー      1.65     3.30     3.71  
半画角（度）  36.57     5.29     1.94  
像高           4.00     4.00     4.00  
レンズ全長    96.31    96.31    96.31  
BF             5.70     5.70     5.70  
d 5            0.60    25.30    31.47  
d13           31.67     6.97     0.80  
d14            9.65     2.73     0.60  
d20            3.57     7.03     2.07  
d22            2.29     5.76    12.85  
レンズ群データ
群  始面    焦点距離  
1    1      48.10  
2    6      -9.53  
3   14       ∞    
4   15      16.76  
5   21     -11.18  
6   23      13.81  
【００８２】
［数値データ３］
単位 mm
面データ
面番号       r        d      nd         νd
1         66.469    1.50   1.85478    24.8           
2         31.563    6.91   1.49700    81.5           
3      -1654.341    0.15                             
4         33.328    4.31   1.83481    42.7           
5        139.064  (可変)                             
6         89.405    0.90   1.83481    42.7           
7          8.776    5.21                             
8       -103.937    0.70   1.83481    42.7           
9         89.280    1.25                             
10        -29.816    0.65   1.77250    49.6           
11         37.142    0.15                             
12         22.484    1.99   1.95906    17.5           
13      -20066.460  (可変)                             
14(絞り)    ∞     (可変)                             
15*        10.946    4.48   1.58313    59.4           
16*       112.417    5.32                             
17         11.308    0.60   1.85478    24.8           
18          6.130    3.40   1.48749    70.2           
19         10.769    2.34                             
20*         7.228    2.35   1.49710    81.6           
21*        56.506  (可変)                             
22        -74.314    0.50   1.83400    37.2           
23         10.750  (可変)                             
24         14.881    2.72   1.64769    33.8           
25        -23.826    2.31                             
26          ∞       1.72   1.51633    64.1           
27          ∞       2.00                             
像面        ∞   
【００８３】
非球面データ
第15面
K =-1.03703e+000  A 4= 4.08778e-005  A 6=-1.49380e-007  A 8= 3.24448e-009  A10=-1.82767e-011  
第16面
K = 0.00000e+000  A 4=-1.67961e-005  A 6= 4.54430e-008  
第20面
K =-1.09911e+000  A 4= 1.41145e-004  A 6= 7.99012e-006  A 8=-3.88867e-007  A10= 1.57087e-008  
第21面
K = 1.33690e+002  
【００８４】
各種データ
ズーム比     21.92 
広角     中間     望遠
焦点距離       5.39    41.05   118.08  
Fナンバー      1.65     3.30     3.71  
半画角（度）  36.59     5.57     1.94  
像高           4.00     4.00     4.00  
レンズ全長    96.12    96.12    96.12  
BF             5.45     5.45     5.45  
d 5            0.60    25.13    31.26  
d13           31.46     6.93     0.80  
d14            8.27     2.81     0.60  
d21            2.55     7.46     2.58  
d23            2.36     2.91    10.01  
レンズ群データ
群  始面    焦点距離  
1    1      47.60  
2    6      -8.71  
3   14       ∞    
4   15      16.32  
5   22     -11.23  
6   24      14.54  
【００８５】
［数値データ４］
単位 mm
面データ
面番号       r        d      nd         νd
1         62.287    1.50   1.85478    24.8           
2         31.387    6.47   1.49700    81.5           
3       2420.837    0.15                             
4         33.323    4.05   1.83481    42.7           
5        133.479  (可変)                             
6         93.497    0.90   1.91082    35.3           
7          9.721    4.15                             
8         68.486    0.70   1.83481    42.7           
9         30.058    2.20                             
10        -28.558    0.65   1.77250    49.6           
11         40.568    0.15                             
12         24.011    2.25   1.95906    17.5           
13       -197.202  (可変)                             
14(絞り)    ∞     (可変)                             
15*        10.748    4.69   1.69350    53.2           
16        208.118    4.12                             
17          8.327    0.60   1.95906    17.5           
18          5.452    3.73                             
19*        12.520    3.39   1.49710    81.6           
20*       -15.578  (可変)                             
21        -43.451    0.50   1.95375    32.3           
22         14.780  (可変)                             
23         20.158    2.09   2.00100    29.1           
24        -41.776    2.64                             
25          ∞       1.72   1.51633    64.1           
26          ∞       2.00                             
像面        ∞   
【００８６】
非球面データ
第15面
K =-1.81706e+000  A 4= 1.16204e-004  A 6=-3.41002e-007  A 8= 2.78569e-009  A10=-2.52586e-011  
第19面
K = 1.71952e+000  A 4=-3.78650e-004  A 6=-2.30365e-006  A 8=-2.77238e-007  
第20面
K = 0.00000e+000  A 4=-4.27918e-004  A 6=-4.22893e-006  A 8=-1.44521e-007  A10=-3.21495e-009  
【００８７】
各種データ
ズーム比     19.92 
広角     中間     望遠
焦点距離       5.59    41.49   111.32  
Fナンバー      1.65     3.30     3.71  
半画角（度）  35.59     5.51     2.06  
像高           4.00     4.00     4.00  
レンズ全長    94.41    94.41    94.41  
BF             5.77     5.77     5.77  
d 5            0.60    24.86    30.92  
d13           31.12     6.86     0.80  
d14            8.71     2.77     0.60  
d20            3.64     7.20     2.13  
d22            2.29     4.66    11.91  
レンズ群データ
群  始面    焦点距離  
1    1      47.61  
2    6      -9.62  
3   14       ∞    
4   15      16.87  
5   21     -11.52  
6   24      13.82  
【００８８】
［数値データ５］
単位 mm
面データ
面番号       r        d      nd         νd
1         64.793    1.50   1.85478    24.8           
2         32.157    7.07   1.49700    81.5           
3       8505.273    0.15                             
4         34.163    4.35   1.83481    42.7           
5        135.413  (可変)                             
6         75.847    0.90   1.91082    35.3           
7          8.994    5.22                             
8        -97.809    0.70   1.77250    49.6           
9         66.752    1.46                             
10        -28.734    0.65   1.77250    49.6           
11         40.867    0.15                             
12         24.680    2.20   1.95906    17.5           
13       -138.158  (可変)                             
14(絞り)    ∞     (可変)                             
15*        11.179    5.44   1.69350    53.2           
16*        71.548    4.97                             
17         18.513    0.60   1.85478    24.8           
18          6.163    3.10   1.48749    70.2           
19         12.264    0.86                             
20*         7.247    2.77   1.58313    59.4           
21*       274.136  (可変)                             
22        -73.757    0.50   1.83481    42.7           
23         11.592  (可変)                             
24         15.883    2.59   1.60342    38.0           
25        -22.174    3.16                             
26          ∞       1.72   1.51400    70.0           
27          ∞       2.00                             
像面        ∞   
【００８９】
非球面データ
第15面
K =-1.00022e+000  A 4= 3.53051e-005  A 6=-1.56450e-008  A 8= 1.22554e-009  A10= 2.84487e-012  
第16面
K = 0.00000e+000  A 4=-3.97087e-005  A 6= 3.01712e-007  
第20面
K =-1.01598e+000  A 4=-2.00732e-005  A 6= 5.16624e-006  A 8=-2.87861e-007  A10= 7.18814e-009  
第21面
K =-4.93394e+003  
【００９０】
各種データ
ズーム比     21.92 
広角     中間     望遠
焦点距離       5.30    42.11   116.24  
Fナンバー      1.65     3.30     3.71  
半画角（度）  37.02     5.43     1.97  
像高           4.00     4.00     4.00  
レンズ全長    97.27    97.27    97.27  
BF             6.30     6.30     6.30  
d 5            0.60    26.29    32.72  
d13           32.91     7.22     0.80  
d14            7.40     1.99     0.60  
d21            2.28     7.39     2.18  
d23            2.59     2.88     9.49  
レンズ群データ
群  始面    焦点距離  
1    1      49.04  
2    6      -8.80  
3   14       ∞    
4   15      16.06  
5   22     -11.97  
6   24      15.74  
【００９１】
［数値データ６］
単位 mm
面データ
面番号       r        d      nd         νd
1         65.554    1.50   1.85478    24.8           
2         31.892    6.24   1.49700    81.5           
3      -1430.851    0.15                             
4         32.623    4.08   1.83481    42.7           
5        125.937  (可変)                             
6         93.123    0.90   1.91082    35.3           
7          9.582    4.25                             
8        161.981    0.70   1.83481    42.7           
9         40.045    2.02                             
10        -25.529    0.65   1.77250    49.6           
11         54.540    0.15                             
12         26.867    2.14   1.95906    17.5           
13       -115.524  (可変)                             
14(絞り)    ∞     (可変)                             
15*        10.995    4.65   1.69350    53.2           
16       -664.633    4.23                             
17          8.362    0.60   1.95906    17.5           
18          5.390    3.47                             
19*        12.333    3.30   1.49710    81.6           
20*       -15.714  (可変)                             
21        -62.746    0.50   1.95375    32.3           
22         13.837  (可変)                             
23         20.647    1.89   2.00100    29.1           
24        -43.590    3.08                             
25          ∞       1.72   1.51633    64.1           
26          ∞       2.00                             
像面        ∞   
【００９２】
非球面データ
第15面
K =-1.96028e+000  A 4= 1.12763e-004  A 6=-4.29822e-007  A 8= 2.31898e-009  A10=-2.16112e-011  
第19面
K = 2.04090e+000  A 4=-4.06858e-004  A 6=-3.07141e-006  A 8=-2.94341e-007  
第20面
K = 0.00000e+000  A 4=-4.64468e-004  A 6=-5.34166e-006  A 8=-1.30014e-007  A10=-4.26132e-009  
【００９３】
各種データ
ズーム比     15.93 
広角     中間     望遠
焦点距離       5.82    37.58    92.67  
Fナンバー      1.65     3.30     3.71  
半画角（度）  34.51     6.08     2.47  
像高           4.00     4.00     4.00  
レンズ全長    90.88    90.88    90.88  
BF             6.21     6.21     6.21  
d 5            0.60    23.98    29.83  
d13           30.03     6.65     0.80  
d14            7.05     2.49     0.60  
d20            3.20     6.92     2.87  
d22            2.37     3.21     9.15  
レンズ群データ
群  始面    焦点距離  
1    1      46.98  
2    6      -9.67  
3   14       ∞    
4   15      16.55  
5   21     -11.85  
6   23      14.21  
【００９４】
［数値データ７］
単位 mm
面データ
面番号       r        d      nd         νd
1         69.160    1.50   1.85478    24.8           
2         32.965    7.50   1.49700    81.5           
3      -1305.133    0.15                             
4         34.455    4.46   1.83481    42.7           
5        135.811  (可変)                             
6         89.237    0.90   1.83481    42.7           
7          8.883    4.89                             
8        142.704    0.70   1.83481    42.7           
9         38.570    1.78                             
10        -27.066    0.65   1.77250    49.6           
11         38.265    0.15                             
12         22.543    2.03   1.95906    17.5           
13       47210.091  (可変)                             
14(絞り)    ∞     (可変)                             
15*        10.894    4.71   1.58313    59.4           
16*       207.513    4.82                             
17         11.190    0.60   1.85478    24.8           
18          6.022    3.58   1.48749    70.2           
19          9.804    2.58                             
20*         7.319    1.95   1.49710    81.6           
21*        74.332  (可変)                             
22        -67.779    0.50   1.83400    37.2           
23         10.823  (可変)                             
24         15.858    2.69   1.64769    33.8           
25        -22.191    2.25                             
26          ∞       1.72   1.51633    64.1           
27          ∞       2.00                             
像面        ∞   
【００９５】
非球面データ
第15面
K =-9.87665e-001  A 4= 3.94454e-005  A 6=-3.09449e-008  A 8= 2.03771e-009  A10=-7.24252e-012  
第16面
K = 0.00000e+000  A 4=-3.09846e-006  A 6= 6.81675e-008  
第20面
K =-9.40770e-001  A 4= 9.88095e-005  A 6= 7.56724e-006  A 8=-4.15844e-007  A10= 1.76028e-008  
第21面
K = 2.40133e+002  
【００９６】
各種データ
ズーム比     24.92 
広角     中間     望遠
焦点距離       5.18    41.90   128.96  
Fナンバー      1.65     3.30     3.71  
半画角（度）  37.70     5.45     1.78  
像高           4.00     4.00     4.00  
レンズ全長    99.12    99.12    99.12  
BF             5.38     5.38     5.38  
d 5            0.60    26.66    33.18  
d13           33.38     7.32     0.80  
d14            8.79     3.03     0.60  
d21            2.45     7.52     2.45  
d23            2.39     3.08    10.58  
レンズ群データ
群  始面    焦点距離  
1    1      49.69  
2    6      -8.72  
3   14       ∞    
4   15      16.41  
5   22     -11.16  
6   24      14.69  
【００９７】
【表１】
2019128474.tif 000004
【符号の説明】
【００９８】
Ｌ０  ズームレンズ      Ｌ１  第１レンズ群      Ｌ２  第２レンズ群
Ｌ３  第３レンズ群      Ｌ４  第４レンズ群      Ｌ５  第５レンズ群
【図１】
2019128474.tif 000005
【図２】
2019128474.tif 000006
【図３】
2019128474.tif 000007
【図４】
2019128474.tif 000008
【図５】
2019128474.tif 000009
【図６】
2019128474.tif 000010
【図７】
2019128474.tif 000011
【図８】
2019128474.tif 000012
【図９】
2019128474.tif 000013
【図１０】
2019128474.tif 000014
【図１１】
2019128474.tif 000015
【図１２】
2019128474.tif 000016
【図１３】
2019128474.tif 000017
【図１４】
2019128474.tif 000018
【図１５】
2019128474.tif 000019